(57)【要約】【課題】大型化を抑えて、使用者の体型に合わせて枕部の位置を変更することができるマッサージ機を提供する。【解決手段】使用者が凭れる背凭れ部３と、背凭れ部３の上部に設けられた枕部７と、を備えたマッサージ機１である。枕部７は、背凭れ部３の前面側に載置される第１姿勢と、背凭れ部３の上面に載置される第２姿勢と、を選択可能である。第１姿勢で使用者の頭部を支持する第１支持面７０ａと、第２姿勢で使用者の頭部を支持する第２支持面７０ｂと、を有し、第２姿勢を維持することが可能である。【選択図】      図１
2016064091.tif 000002
【特許請求の範囲】
【請求項１】
使用者が凭れる背凭れ部と、該背凭れ部の上部に設けられた枕部と、を備えたマッサージ機において、
前記枕部は、
前記背凭れ部の前面側に載置される第１姿勢と、前記背凭れ部の上面に載置される第２姿勢と、を選択可能であり、
前記第１姿勢で使用者の頭部を支持する第１支持面と、前記第２姿勢で使用者の頭部を支持する第２支持面と、を有し、
前記第２姿勢を維持することが可能である
ことを特徴とするマッサージ機。
【請求項２】
前記第１姿勢における前記枕部は、前記第１支持面が下方に向かうにつれて前方へ突出するよう傾斜し、前記第２支持面が下方を向いていることを特徴とする請求項１に記載のマッサージ機。
【請求項３】
前記枕部は、枕本体と、該枕本体から左右方向に直交する方向に延設された延設部と、を有し、
前記背凭れ部の上面には、前記延設部を挿通可能な挿通部が設けられており、
前記枕部は、前記延設部を前記挿通部に挿通し、前記枕本体を回動させて該延設部に重ねることにより、前記第２姿勢を維持することを特徴とする請求項１又は２に記載のマッサージ機。
【請求項４】
前記枕部は、前記挿通部の後方において、前記枕本体と前記延設部を固定する固定手段を有することを特徴とする請求項３に記載のマッサージ機。
【請求項５】
前記延設部の前記枕本体との連結部分と反対側には、前記枕部を前記第１姿勢において所定の上下位置で位置決めする位置決め部が設けられていることを特徴とする請求項３又は４に記載のマッサージ機。
【請求項６】
前記第２支持面には、被施療部をマッサージするマッサージ部が設けられていることを特徴とする請求項１〜５のいずれかに記載のマッサージ機。
【請求項７】
前記マッサージ部は、前記第２支持面に対して前後方向に角度変更可能であることを特徴とする請求項６に記載のマッサージ機。
【発明の詳細な説明】
【技術分野】
【０００１】
本発明はマッサージ機に関する。
【背景技術】
【０００２】
従来、背凭れ部の上部において、孤状のスライド機構を介して枕部がスライド自在であるマッサージ機が知られている。このマッサージ機は、枕部の位置を変更することにより、使用者の体型に合わせて頭部を支えることができるようになっている（例えば、特許文献１の図７及び図８参照）。
【先行技術文献】
【特許文献】
【０００３】
【特許文献１】特開平８−３０８９００号公報
【発明の概要】
【発明が解決しようとする課題】
【０００４】
しかし、上記特許文献１に記載のマッサージ機は、枕部を背凭れ部の上面に載置できるか明らかでない。すなわち、枕部が背凭れ部の上部前面においてのみスライド自在である場合は、枕部の位置を身長の高い使用者に適切に対応させるためには、背凭れ部の高さ寸法を大きくする必要があり、マッサージ機が大型化してしまうという問題がある。そこで本発明は、上述した問題を解消するためになされたものであり、大型化を抑えて、使用者の体型に合わせて枕部の位置を変更することができるマッサージ機を提供することを目的とする。
【課題を解決するための手段】
【０００５】
本発明は、使用者が凭れる背凭れ部と、該背凭れ部の上部に設けられた枕部と、を備えたマッサージ機において、前記枕部は、前記背凭れ部の前面側に載置される第１姿勢と、前記背凭れ部の上面に載置される第２姿勢と、を選択可能であり、前記第１姿勢で使用者の頭部を支持する第１支持面と、前記第２姿勢で使用者の頭部を支持する第２支持面と、を有し、前記第２姿勢を維持することが可能であることを特徴とする。
このような構成とすることにより、座高の低い使用者は枕部を第１姿勢として使用し、座高の高い使用者は枕部を第２姿勢として使用することができ、体型に合わせて枕部を適切に位置させることができる。また、枕部を背凭れ部の上面に載置した第２姿勢で維持することができるため、座高の高い使用者であっても頭部を安定して支持することができるし、背凭れ部の高さ寸法を抑えることができる。
【０００６】
この場合、前記第１姿勢における前記枕部は、前記第１支持面が下方に向かうにつれて前方へ突出するよう傾斜し、前記第２支持面が下方を向いていることが好ましい。
このような構成とすることにより、枕部が第１姿勢にあっては、顎が若干上向きのリラックスした姿勢をとることができる。一方、枕部が第２姿勢にあっては、面積の広い第２支持面によって頭部を安定して支持することができる。
【０００７】
また、前記枕部は、枕本体と、該枕本体から左右方向に直交する方向に延設された延設部と、を有し、前記背凭れ部の上面には、前記延設部を挿通可能な挿通部が設けられており、前記枕部は、前記延設部を前記挿通部に挿通し、前記枕本体を回動させて該延設部に重ねることにより、前記第２姿勢を維持することが好ましい。
このような構成とすることにより、枕本体と延設部の連結部分が挿通部に引っかかって枕部の後方移動を阻止することができ、枕部を第２姿勢で維持することができる。
【０００８】
この場合、前記枕部は、前記挿通部の後方において、前記枕本体と前記延設部を固定する固定手段を有することが好ましい。
このような構成とすることにより、延設部が挿通部から抜けることを防止して、より枕部を第２姿勢で維持することができる。
【０００９】
また、前記延設部の前記枕本体との連結部分と反対側には、前記枕部を前記第１姿勢において所定の上下位置で位置決めする位置決め部が設けられていることが好ましい。
このような構成とすることにより、延設部が挿通部から抜けることを防止して、枕部を第１姿勢で維持することができる。
【００１０】
また、前記第２支持面には、被施療部をマッサージするマッサージ部が設けられていることが好ましい。
このような構成とすることにより、第１姿勢においては使用者の首部又は肩部を上方からマッサージすることができ、第２姿勢においては使用者の首部又は肩部を後方からマッサージすることができる。
【００１１】
また、前記マッサージ部は、前記第２支持面に対して前後方向に角度変更可能であることが好ましい。
このような構成とすることにより、マッサージ部を枕部の姿勢に適した角度にしてマッサージを受けることができる。
【発明の効果】
【００１２】
本発明によれば、マッサージ機の大型化を抑えて、使用者の体型に合わせて枕部の位置を変更することができる。
【図面の簡単な説明】
【００１３】
【図１】本発明の一実施形態に係るマッサージ機の斜視図である。
【図２】背凭れ部の側面図であり、枕部を第１姿勢とした状態を示している。
【図３】背凭れ部の側面図であり、枕部を第２姿勢とした状態を示している。
【図４】枕部の背面図であり、枕本体と延設部を展開した状態を示している。
【図５】枕部の背面図であり、枕本体と延設部を重ねた状態を示している。
【図６】他の実施形態に係る枕部の正面図である。
【発明を実施するための形態】
【００１４】
［全体構成］
以下、本発明のマッサージ機１の全体構成について説明する。図１は本発明の一実施形態に係るマッサージ機１の斜視図である。図２は背凭れ部３の側面図であり、枕部７を第１姿勢とした状態を示している。図３は背凭れ部３の側面図であり、枕部７を第２姿勢とした状態を示している。図４は枕部７の背面図であり、枕本体７０と延設部７１を展開した状態を示している。図５は枕部７の背面図であり、枕本体７０と延設部７１を重ねた状態を示している。
なお、以下の説明で用いる方向の概念は、図１に示すマッサージ機１に着座した使用者から見たときの方向の概念と一致するものとし、その他の場合は適宜説明するものとする。
【００１５】
図１に示すとおり、本発明のマッサージ機１は、主として、使用者が着座する座部２と、座部２の後部にリクライニング可能に設けられた使用者が凭れる背凭れ部３と、座部２の前部に上下揺動可能に設けられた使用者の脚部及び足部を支持するフットレスト４と、座部２の左右両側に設けられた使用者が腕部を載置する肘掛け部５と、座部２を支持するとともに床面に設置される脚フレーム６と、背凭れ部３の上部に設けられた使用者の頭部を支持する枕部７と、を有している。そして、背凭れ部３には、上下方向に沿って昇降するマッサージユニット８が内装されている。このマッサージユニット８は、左右で対をなす施療子８ａを有しており、対の施療子８ａを近接離反させることで揉みマッサージを行い、対の施療子８ａを交互に進退させることで叩きマッサージを行うことができる。また、座部２及びフットレスト４には、エアの給排気により膨張収縮してマッサージを行うエアセル９が設けられている。
【００１６】
［背凭れ部の構成］
背凭れ部３は、全体として上下方向に長寸の略直方体を呈しており、本体フレーム１０と、本体フレーム１０に組み付けられて使用者の上半身を支持する支持部材１１と、支持部材１１の後方から背凭れ部３の内部をカバーするバックカバー１２と、支持部材１１の前方に設けられて使用者に当接する背パッド１３と、により構成されている。また、背凭れ部３は、図１に示す起立姿勢から床面に対して略水平となるリクライニング姿勢までの間でリクライニング可能である。
【００１７】
本体フレーム１０は金属等よりなり、正面視で略矩形を呈しており、その左右両側にマッサージユニット８の昇降をガイドする上下方向に延設されたガイド部材１０ａを有している。すなわち、マッサージユニット８は、本体フレーム１０に昇降可能に支持されている。支持部材１１は樹脂等よりなり、上下方向に沿って形成された長孔１１ａを有して正面視で門型を呈しており、前後方向に所定の厚みを有している。この支持部材１１は、本体フレーム１０の前面に設けられており、使用者の上半身を支持することができる。そして、長孔１１ａを介してマッサージユニット８が有する施療子８ａにより、支持部材１１に支持された使用者の上半身をマッサージするようになっている。
【００１８】
バックカバー１２は樹脂等よりなり、前後方向に所定の厚みを有する箱型に形成されている。そして、本体フレーム１０又は支持部材１１に後方から組み付けられている。背パッド１３は柔軟性及びクッション性を有しており、支持部材１１の前面から上面にかけて配置されている。この背パッド１３が長孔１１ａを覆っているため、使用者の身体が背凭れ部３の内部に落ち込むことがなく、施療子８ａによるマッサージも阻害しないようになっている。また、背パッド１３には、背凭れ部３を構成したときの上面において左右方向に延びる帯体１４が設けられており、この帯体１４により後述する枕部７の延設部７１を挿通可能とする挿通部１４ａが形成されている。
【００１９】
［枕部の構成］
枕部７は、適度な保形性とクッション性を備えたウレタン等よりなる芯材を、レザー等よりなるカバーで覆って構成された枕本体７０と、枕本体７０に取り付けられ左右方向に直交する方向に延設された延設部７１と、により構成されている。図２及び図３に示すとおり、枕部７は、背凭れ部３の前面側に配置される第１姿勢と、背凭れ部３の上面に配置される第２姿勢と、を選択して配置することができるようになっている。また、図４及び図５に示すとおり、枕部７は、枕本体７０と延設部７１が重なった状態と、枕本体７０と延設部７１が展開した状態と、をとりうることができる。
【００２０】
枕本体７０は、背凭れ部３の前面側に配置した第１姿勢において、前方を向いて頭部を支持する第１支持面７０ａと、下方を向く第２支持面７０ｂと、左右方向を向く両側面７０ｃと、背凭れ部３に載置される載置面７０ｄと、を有している。すなわち、側面視で略三角形又は台形を呈している。第１支持面７０ａは、下方に向かうにつれて前方へ突出するように傾斜している。また、図４及び図５に示すとおり、第２支持面７０ｂは、左右方向中央に向かうにつれて上方に位置するようになっている。
【００２１】
延設部７１は、左右方向に所定の幅を有する帯状部材であり、第１姿勢における枕本体７０の下部から上方に向かって延設されている。また、延設部７１の枕本体７０との連結部分７２と反対側の端部には、枕部７を第１姿勢において所定の上下位置で位置決めする位置決め部７３が設けられている。この位置決め部７３はウェイトよりなり、図２に示すように背凭れ部３の後側に位置させることにより、枕本体７０と位置決め部７３が釣り合って枕部７が位置決めされる。
【００２２】
枕部７は、枕本体７０と延設部７１を固定する固定手段７４が設けられている。この固定手段７４は、面ファスナー等よりなり、枕本体７０の載置面７０ｄと延設部７１にそれぞれ設けられている。そして、枕本体７０は、延設部７１との連結部分７２を支点として前後方向に回動可能であり、枕本体７０を延設部７１に重ねた状態で固定手段７４により固定することができる。
【００２３】
以下、枕部７を第１姿勢として使用する場合について説明する。比較的座高の低い使用者は、枕部７を第１姿勢として使用するのが好適である。まず、枕本体７０と延設部７１を挿通部１４ａの前方で固定し、枕本体７０と延設部７１を重ねた状態とする。その状態で延設部７１を挿通部１４ａに挿通し、位置決め部７３を背凭れ部３の後側に位置させる。そうすることにより、枕本体７０と位置決め部７３が釣り合って、枕本体７０が背凭れ部３の前面側で維持される。
【００２４】
このとき第１支持面７０ａが前方を向いており、第１支持面７０ａに頭部が支持される。第１支持面７０ａは、下方に向かうにつれて前方へ突出するよう傾斜しているため、使用者は顎が若干上向きのリラックスした姿勢をとることができる。また、第２支持面７０ｂが下方を向いており、第２支持面７０ｂに肩の上面が当接する。従って、背凭れ部３に内装されたマッサージユニット８で上半身をマッサージする際、第２支持面７０ｂにより上半身が上方へ逃げることを防止できる。
【００２５】
以下、枕部７を第２姿勢として使用する場合について説明する。比較的座高の高い使用者は、枕部７を第２姿勢として使用するのが好適である。まず、枕本体７０と延設部７１を展開した状態として延設部７１を挿通部１４ａに挿通する。次に、枕本体７０を回動させて、枕本体７０と延設部７１を挿通部１４ａの後方で固定し、枕本体７０と延設部７１を重ねた状態とする。そうすることにより、枕本体７０と延設部７１の連結部分７２が挿通部１４ａに引っかかって枕部７の後方移動を阻止することができ、枕本体７０が背凭れ部３の上面で維持される。
【００２６】
このとき第１支持面７０ａは上方を向いている。また、第２支持面７０ｂが前方を向いており、第２支持面７０ｂに頭部が支持される。第２姿勢においては、第１支持面７０ａは前方に向かうにつれて上方へ突出するよう傾斜した形状であるため、面積の広い第２支持面７０ｂによって頭部を安定して支持することができる。また、枕部７をより上方に位置させることができ、座高の高い使用者であっても頭部を安定して支持することができる。
【００２７】
［他の実施形態に係る枕部の構成］
以下、本発明の他の実施形態に係る枕部３０について説明する。図６は他の実施形態に係る枕部３０の正面図である。なお、枕部３０において前述した実施形態に係る枕部７と本質的に異なる点は、マッサージ部４０が設けられている点である。その他の構成は枕部７と同一であるため、以下では同一符号を付してその説明を省略する。
【００２８】
枕部３０は、使用者の首部又は肩部をマッサージするマッサージ部４０が設けられている。このマッサージ部４０は、枕本体７０の第２支持面７０ｂに設けられたエアの給排気により膨張収縮して首部又は肩部をマッサージするエアセル４１を有しており、両端を左右中心側へ屈曲させた支持板４２によってエアセル４１が支持されている。より具体的には、エアセル４１は支持板４２の屈曲部分４２ａに設けられており、膨張することにより首部又は肩部を左右方向から挟持することができる。また、第２支持面７０ｂの下方には、左右方向に延設されたマッサージ部４０を支持する支持軸４３が設けられており、マッサージ部４０は支持軸４３を中心として前後方向に角度変更が可能である。
【００２９】
マッサージ部４０が枕本体７０の第２支持面７０ｂに設けられているため、枕部３０を第１姿勢として使用する場合には、斜め上方からエアセル４１が膨張して首部又は肩部をマッサージすることができ、枕部３０を第２姿勢として使用する場合には、後方からエアセル４１が膨張して首部又は肩部をマッサージすることができる。すなわち、第１姿勢又は第２姿勢のいずれであっても、首部又は肩部をマッサージすることができる。また、マッサージ部４０は前後方向に角度変更が可能であるため、枕部３０の姿勢に適した角度にしてマッサージを受けることができる。なお、マッサージ部４０は、所定の角度で維持できるよう構成されていることが好ましい。
【００３０】
また、本発明のマッサージ機は、図示する形態に限らず、この発明の範囲内において他の形態のものであっても良い。
前述した実施形態では、枕部７，３０が有する延設部７１を背凭れ部３の上面に設けた挿通部１４ａに挿通する構成としたが、例えば、背凭れ部３（背パッド１３）の前面及び上面に設けた面ファスナー等よりなる固定手段７４によって、枕本体７０の載置面７０ｄを固定してもよい。この場合、延設部７１は不要となる。また、枕部３０に設けるマッサージ部４０は、エアセル４１に限らず、機械式のマッサージ部であってもよい。
【産業上の利用可能性】
【００３１】
本発明は、マッサージ機の大型化を抑えて、使用者の体型に合わせて枕部の位置を変更することができるマッサージ機に適用することができる。
【符号の説明】
【００３２】
１  マッサージ機
３  背凭れ部
７，３０  枕部
１４ａ  挿通部
４０  マッサージ部
７０  枕本体
７０ａ  第１支持面
７０ｂ  第２支持面
７１  延設部
７３  位置決め部
７４  固定手段
【図１】
2016064091.tif 000003
【図２】
2016064091.tif 000004
【図３】
2016064091.tif 000005
【図４】
2016064091.tif 000006
【図５】
2016064091.tif 000007
【図６】
2016064091.tif 000008